(57)【要約】【課題】全白表示性能と小表示率表示性能を共に向上させる。【解決手段】ＰＤＰ（プラズマディスプレイパネル）１における、表示用の可視光が放射される面を表示面とし、表示面から可視光が放射される空間を視野空間とし、複数の放電セルを連続的に包含する空間を表示空間とし、表示空間の表示面へ投影された領域を表示領域Ｒｐとし、前記視野空間から前記表示領域に白色光を入射させたとき、表示領域から出射する光のエネルギーの、入射された白色光のエネルギーに対する比の、表示領域における平均値を表示領域表面反射率βとすると、０．０２≦β≦０．２であり、誘電体（誘電体膜）２６のＸ電極２２−１、２４−１と重なる位置での厚さ及びＹ電極２３−１、２５−１と重なる位置での厚さの平均値を誘電体厚さＤｓｉｆが２０μｍ以下とする。【選択図】図２
2011014450.tif 000002
【特許請求の範囲】
【請求項１】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記視野空間から前記表示領域に白色光を入射させたとき、前記表示領域から出射する光のエネルギーの、入射された前記白色光のエネルギーに対する比の、前記表示領域における平均値を表示領域表面反射率βとすると、
０．０２≦β≦０．２であり、
前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下であることを特徴とするプラズマディスプレイ装置。
【請求項２】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記表示領域Ｒｐの面積をＳｐとし、
前記放電空間の中で前記表示放電の発生する空間を表示放電空間とし、
前記表示放電空間の前記表示面へ投影された領域を表示放電領域とし、
前記表示領域Ｒｐにおける前記表示放電領域の集合をＲｄとし、
前記表示放電領域の集合Ｒｄの面積をＳｄとし、
Ａｄ＝Ｓｄ／Ｓｐを表示放電領域面積率とすると、
０．０５≦Ａｄ≦０．４であり、
前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下であることを特徴とするプラズマディスプレイ装置。
【請求項３】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記表示領域Ｒｐの面積をＳｐとし、
前記複数の放電セルの、少なくとも一部の前記放電セルが、前記視野空間から前記表示面に白色光を入射させたとき、前記表示面から出射する光のエネルギーの、入射された前記白色光のエネルギーに対する比が０．２以下である黒色領域を有し、
前記表示領域Ｒｐにおける前記黒色領域の集合をＲｂとし、
前記黒色領域の集合Ｒｂの前記表示面における面積をＳｂとし、
Ａｂ＝Ｓｂ／Ｓｐを黒色領域面積率とすると、
０．９５≧Ａｂ≧０．５であり、
前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下であることを特徴とするプラズマディスプレイ装置。
【請求項４】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記表示領域Ｒｐの面積をＳｐとし、
前記視野空間から前記表示面に白色光を入射したとき、前記表示面から出射する光のエネルギーの、入射された前記白色光のエネルギーに対する比を反射率とし、
前記複数の放電セルの前記反射率の最大値をβｍａｘとしたとき、少なくとも一部の前記放電セルが、前記反射率が０．５×βｍａｘ以下である黒色領域を有し、
前記表示領域Ｒｐにおける前記黒色領域の集合をＲｂとし、該黒色領域の集合Ｒｂの前記表示面における面積をＳｂとし、
Ａｂ＝Ｓｂ／Ｓｐを黒色領域面積率とすると、
０．９５≧Ａｂ≧０．５であり、
前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下であることを特徴とするプラズマディスプレイ装置。
【請求項５】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記視野空間から前記表示領域に白色光を入射させたとき、前記表示領域から出射する光のエネルギーの、入射された前記白色光のエネルギーに対する比の、前記表示領域における平均値を表示領域表面反射率βとすると、
０．０２≦β≦０．２であり、
前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下であることを特徴とするプラズマディスプレイ装置。
【請求項６】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記表示領域Ｒｐの面積をＳｐとし、
前記放電空間の中で前記表示放電の発生する空間を表示放電空間とし、
前記表示放電空間の前記表示面へ投影された領域を表示放電領域とし、
前記表示領域Ｒｐにおける前記表示放電領域の集合をＲｄとし、
前記表示放電領域の集合Ｒｄの面積をＳｄとし、
Ａｄ＝Ｓｄ／Ｓｐを表示放電領域面積率とすると、
０．０５≦Ａｄ≦０．４であり、
前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下であることを特徴とするプラズマディスプレイ装置。
【請求項７】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記表示領域Ｒｐの面積をＳｐとし、
前記複数の放電セルの、少なくとも一部の前記放電セルが、前記視野空間から前記表示面に白色光を入射させたとき、前記表示面から出射する光のエネルギーの、入射された前記白色光のエネルギーに対する比が０．２以下である黒色領域を有し、
前記表示領域Ｒｐにおける前記黒色領域の集合をＲｂとし、
前記黒色領域の集合Ｒｂの前記表示面における面積をＳｂとし、
Ａｂ＝Ｓｂ／Ｓｐを黒色領域面積率とすると、
０．９５≧Ａｂ≧０．５であり、
前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下であることを特徴とするプラズマディスプレイ装置。
【請求項８】
表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、
前記プラズマディスプレイパネルを駆動する駆動回路と、を有し、
前記プラズマディスプレイパネルにおける、表示用の前記可視光が放射される面を表示面とし、
前記表示面から前記可視光が放射される空間を視野空間とし、
前記複数の放電セルを連続的に包含する空間を表示空間とし、
前記表示空間の前記表示面へ投影された領域を表示領域Ｒｐとし、
前記表示領域Ｒｐの面積をＳｐとし、
前記視野空間から前記表示面に白色光を入射したとき、前記表示面から出射する光のエネルギーの、入射された前記白色光のエネルギーに対する比を反射率とし、
前記複数の放電セルの前記反射率の最大値をβｍａｘとしたとき、少なくとも一部の前記放電セルが、前記反射率が０．５×βｍａｘ以下である黒色領域を有し、
前記表示領域Ｒｐにおける前記黒色領域の集合をＲｂとし、該黒色領域の集合Ｒｂの前記表示面における面積をＳｂとし、
Ａｂ＝Ｓｂ／Ｓｐを黒色領域面積率とすると、
０．９５≧Ａｂ≧０．５であり、
前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下であることを特徴とするプラズマディスプレイ装置。
【請求項９】
請求項１〜請求項８のいずれか１項に記載のプラズマディスプレイ装置において、
交叉する二方向に延在して格子状に形成された隔壁が、前記複数の放電セルの一部を形成し、
前記複数の放電セルの中の少なくとも一部の前記放電セルにおいて、前記二方向の少なくとも一方向に延在する前記隔壁において、該隔壁の幅の平均値が０．１ｍｍ以上であることを特徴とするプラズマディスプレイ装置。
【請求項１０】
請求項９に記載のプラズマディスプレイ装置において、
前記隔壁の高さ方向に座標軸ｚをとり、前記Ｘ電極の前記座標軸ｚの位置座標をｚＸとし、前記Ｙ電極の前記座標軸ｚの位置座標をｚＹとし、
前記位置座標ｚＸ、ｚＹの差の絶対値｜ｚＹ−ｚＸ｜が０．０５ｍｍ以上であることを特徴とするプラズマディスプレイ装置。
【請求項１１】
請求項１０に記載のプラズマディスプレイ装置において、
前記複数の放電セルの各々において、前記表示放電空間を取り囲む固体壁を表示放電空間内面とし、
前記表示放電空間内面のうち表示用の前記可視光が前記視野空間に向けて放射する面を開口面とし、
前記表示放電空間内面のうち前記開口面以外の固体壁を非開口面とし、
前記非開口面の表面反射率の平均値を非開口面反射率とすると、
前記複数の放電セルの少なくとも一部の前記放電セルにおいて、前記非開口面反射率が８０％以上であることを特徴とするプラズマディスプレイ装置。
【請求項１２】
請求項１〜請求項８のいずれか１項に記載のプラズマディスプレイ装置において、
第１の方向に沿って延在し、該第１の方向に直交する第２の方向に並べられた複数の隔壁が、前記複数の放電セルの一部を形成し、前記複数の放電セルの中の少なくとも一部の前記放電セルにおいて、前記複数の隔壁の幅の平均値が０．１ｍｍ以上であることを特徴とするプラズマディスプレイ装置。
【発明の詳細な説明】
【技術分野】
【０００１】
本発明は、プラズマディスプレイパネルなどのプラズマディスプレイ装置およびこれを用いた画像表示システムの技術に関し、特に、低電力で、かつ高輝度、高コントラストで高画質なプラズマディスプレイ装置を提供するのに有効な技術に関する。
【背景技術】
【０００２】
近年、大型でかつ厚みの薄いカラー表示装置として、プラズマディスプレイ装置が期待されている。特に、ＡＣ面放電型ＰＤＰ（Ｐｌａｓｍａ  Ｄｉｓｐｌａｙ  Ｐａｎｅｌ）は、構造の単純さと高信頼性のために最も実用化の進んでいる方式である（例えば、特許文献１参照）。
【先行技術文献】
【特許文献】
【０００３】
【特許文献１】特開２００５−３２４７８号公報
【発明の概要】
【発明が解決しようとする課題】
【０００４】
プラズマディスプレイ装置は、少なくとも複数の放電セルを構成要素とするプラズマディスプレイパネルを有しており、上記放電セル内で放電によりプラズマを形成し、このプラズマの効果により可視光を形成して画像表示を行う装置である。プラズマの効果で可視光を形成する方法には、プラズマから直接発光する可視光を利用する方法と、プラズマから発光する紫外線により蛍光体を発光させこの可視光を利用する方法がある。通常は、後者の方法が用いられる。
【０００５】
このプラズマディスプレイ装置において、強く望まれることは、低電力（低駆動電力）で明るく（高輝度）かつ高コントラストな表示を実現することである。このとき重要なことは、これらの要求を実現するために必要とされる技術が、表示率により異なるということである。表示率とは、表示領域Ｒｐにおいて、実際に発光している（表示放電を行っている）領域の割合のことである。表示率は、表示する画像により変化する。表示率が概略１００％（例えば、９０％以上）の表示を全白表示と称し、表示率が小さな（例えば、１０％以下の）表示を小表示率表示と称する。
【０００６】
本願発明者は、全白表示おいて低駆動電力、高輝度、高コントラストな表示を実現する技術について検討し、以下の課題を見出した。すなわち、全白表示おいて低駆動電力、高輝度、高コントラストな表示を実現するためには、基本発光効率ｈｆを増大することが必要である（詳細は後述する）。このためには、パネル反射率βを低減することが有効である。パネル反射率βを低減するには、表示放電領域面積率Ａｄを低減し、増大した非表示放電領域の視野空間側表面を黒色化することである。しかし、このようにすると表示電極（表示放電電極）の面積が小さくなり、この結果表示電極容量（放電容量とも称す）が小さくなり、単発輝度が低下する。単発輝度とは、１フィールド（１６．７ｍｓ）に１対の維持放電が発生する駆動条件（すなわち、Ｆｄｒ=６０Ｈｚ）での輝度のことである。この結果、小表示率表示での輝度が低下する。すなわち、全白表示性能と小表示率表示性能を両立することが困難であった。小表示率表示での輝度を増大するためには駆動周波数を増大することが考えられるが、このためには、駆動電力に含まれる無効電力を低減することが必須である。
【０００７】
本発明は、上記課題に鑑みてなされたものであり、その目的は、全白表示性能と小表示率表示性能の間に存在するトレードオフ関係を改善し、総合性能の優れたプラズマディスプレイ装置を実現できる技術を提供することにある。
【０００８】
詳しくは、本願発明者が見出した「全白表示性能と小表示率表示性能を両立するためには、パネル反射率βの低減、単発輝度低下の抑制、無効電力の低減を同時に実現することが必須である」という課題に基づき、それを実現する技術を提供することを目的とする。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
（１）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記視野空間から前記表示領域に白色光を入射させたとき、前記表示領域から出射する光のエネルギーの、入射された前記白色光のエネルギーに対する比の、前記表示領域における平均値を表示領域表面反射率βとすると、０．０２≦β≦０．２であり、前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下とするものである。
【００１２】
（２）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記表示領域Ｒｐの面積をＳｐとし、前記放電空間の中で前記表示放電の発生する空間を表示放電空間とし、前記表示放電空間の前記表示面へ投影された領域を表示放電領域とし、前記表示領域Ｒｐにおける前記表示放電領域の集合をＲｄとし、前記表示放電領域の集合Ｒｄの面積をＳｄとし、Ａｄ＝Ｓｄ／Ｓｐを表示放電領域面積率とすると、０．０５≦Ａｄ≦０．４であり、前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下とするものである。
【００１３】
（３）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記表示領域Ｒｐの面積をＳｐとし、前記複数の放電セルの、少なくとも一部の前記放電セルが、前記視野空間から前記表示面に白色光を入射させたとき、前記表示面から出射する光のエネルギーの、入射された前記白色光のエネルギーに対する比が０．２以下である黒色領域を有し、前記表示領域Ｒｐにおける前記黒色領域の集合をＲｂとし、前記黒色領域の集合Ｒｂの前記表示面における面積をＳｂとし、Ａｂ＝Ｓｂ／Ｓｐを黒色領域面積率とすると、０．９５≧Ａｂ≧０．５であり、前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下とするものである。
【００１４】
（４）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記表示領域Ｒｐの面積をＳｐとし、前記視野空間から前記表示面に白色光を入射したとき、前記表示面から出射する光のエネルギーの、入射された前記白色光のエネルギーに対する比を反射率とし、前記複数の放電セルの、前記反射率の最大値をβｍａｘとしたとき、少なくとも一部の前記放電セルが、前記反射率が０．５×βｍａｘ以下である黒色領域を有し、前記表示領域Ｒｐにおける前記黒色領域の集合をＲｂとし、該黒色領域の集合Ｒｂの前記表示面における面積をＳｂとし、Ａｂ＝Ｓｂ／Ｓｐを黒色領域面積率とすると、０．９５≧Ａｂ≧０．５であり、前記誘電体膜の前記Ｘ電極と重なる位置での厚さ及び前記Ｙ電極と重なる位置での厚さの平均値を誘電体厚さＤｓｉｆとすると、Ｄｓｉｆが１８μｍ以下とするものである。
【００１５】
（５）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記視野空間から前記表示領域に白色光を入射させたとき、前記表示領域から出射する光のエネルギーの、入射された前記白色光のエネルギーに対する比の、前記表示領域における平均値を表示領域表面反射率βとすると、０．０２≦β≦０．２であり、前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下とするものである。
【００１６】
（６）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記表示領域Ｒｐの面積をＳｐとし、前記放電空間の中で前記表示放電の発生する空間を表示放電空間とし、前記表示放電空間の前記表示面へ投影された領域を表示放電領域とし、前記表示領域Ｒｐにおける前記表示放電領域の集合をＲｄとし、前記表示放電領域の集合Ｒｄの面積をＳｄとし、Ａｄ＝Ｓｄ／Ｓｐを表示放電領域面積率とすると、０．０５≦Ａｄ≦０．４であり、前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下とするものである。
【００１７】
（７）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記表示領域Ｒｐの面積をＳｐとし、前記複数の放電セルの、少なくとも一部の前記放電セルが、前記視野空間から前記表示面に白色光を入射させたとき、前記表示面から出射する光のエネルギーの、入射された前記白色光のエネルギーに対する比が０．２以下である黒色領域を有し、前記表示領域Ｒｐにおける前記黒色領域の集合をＲｂとし、前記黒色領域の集合Ｒｂの前記表示面における面積をＳｂとし、Ａｂ＝Ｓｂ／Ｓｐを黒色領域面積率とすると、０．９５≧Ａｂ≧０．５であり、前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下とするものである。
【００１８】
（８）表示放電を行う為のＸ電極及びＹ電極、前記Ｘ電極及びＹ電極を少なくとも部分的に覆う誘電体膜、放電空間に充填された放電ガス、及び前記放電ガスの放電で発生する紫外線による励起で可視光を発光する蛍光体、を少なくとも備える複数の放電セルを備えたプラズマディスプレイパネルと、前記プラズマディスプレイパネルを駆動する駆動回路と、を有するプラズマディスプレイ装置であって、前記プラズマディスプレイパネルにおける、表示用の前記可視光が放射される面を表示面とし、前記表示面から前記可視光が放射される空間を視野空間とし、前記複数の放電セルを連続的に包含する空間を表示空間とし、前記表示空間の前記表示面へ投影された領域を表示領域Ｒｐとし、前記表示領域Ｒｐの面積をＳｐとし、前記視野空間から前記表示面に白色光を入射したとき、前記表示面から出射する光のエネルギーの、入射された前記白色光のエネルギーに対する比を反射率とし、前記複数の放電セルの、前記反射率の最大値をβｍａｘとしたとき、少なくとも一部の前記放電セルが、前記反射率が０．５×βｍａｘ以下である黒色領域を有し、前記表示領域Ｒｐにおける前記黒色領域の集合をＲｂとし、該黒色領域の集合Ｒｂの前記表示面における面積をＳｂとし、Ａｂ＝Ｓｂ／Ｓｐを黒色領域面積率とすると、０．９５≧Ａｂ≧０．５であり、前記誘電体膜の前記Ｘ電極と重なる位置での厚さ及び前記Ｙ電極と重なる位置での厚さの平均値を誘電体厚さＤｓｉｆとし、前記誘電体膜の前記Ｘ電極と重なる位置での比誘電率及び前記Ｙ電極と重なる位置での比誘電率の平均値を誘電体比誘電率ｋとし、Ｄｓｉｆ＿ｅ＝Ｄｓｉｆ／ｋを実効誘電体厚さとすると、Ｄｓｉｆ＿ｅが２．２μｍ以下とするものである。
【００１９】
（９）前記（１）〜前記（８）のいずれかに記載のプラズマディスプレイ装置において、交叉する二方向に延在して格子状に形成された隔壁が、前記複数の放電セルの一部を形成し、前記複数の放電セルの中の少なくとも一部の前記放電セルにおいて、前記二方向の少なくとも一方向に延在する前記隔壁において、該隔壁の幅の平均値を０．１ｍｍ以上とするものである。
【００２０】
（１０）前記（９）に記載のプラズマディスプレイ装置において、前記隔壁の高さ方向に座標軸ｚをとり、前記Ｘ電極の前記座標軸ｚの位置座標をｚＸとし、前記Ｙ電極の前記座標軸ｚの位置座標をｚＹとすると、前記位置座標ｚＸ、ｚＹの差の絶対値｜ｚＹ−ｚＸ｜が０．０５ｍｍ以上とするものである。
【００２１】
（１１）前記（１０）に記載のプラズマディスプレイ装置において、前記複数の放電セルの各々において、前記表示放電空間を取り囲む固体壁を表示放電空間内面とし、前記表示放電空間内面のうち表示用の前記可視光が前記視野空間に向けて放射する面を開口面とし、前記表示放電空間内面のうち前記開口面以外の固体壁を非開口面とし、前記非開口面の表面反射率の平均値を非開口面反射率とし、前記複数の放電セルの少なくとも一部の前記放電セルにおいて、前記非開口面反射率が８０％以上とするものである。
【００２２】
（１２）前記（１）〜前記（８）のいずれかに記載のプラズマディスプレイ装置において、第１の方向に沿って延在し、該第１の方向に直交する第２の方向に並べられた複数の隔壁が、前記複数の放電セルの一部を形成し、前記複数の放電セルの中の少なくとも一部の前記放電セルにおいて、前記複数の隔壁の幅の平均値が０．１ｍｍ以上とするものである。
【００２３】
（１３）画像表示システムであって、前記（１）〜前記（１２）のいずれかに記載のプラズマディスプレイ装置を用いるものである。
【発明の効果】
【００２４】
本願において開示される発明のうち、代表的なものによって得られる効果を簡単に説明すれば以下のとおりである。
【００２５】
すなわち、全白表示性能と小表示率表示性能を両立し、任意の表示率において高輝度かつ高コントラストな（セットのＢＣ積Ｆｂｃｓの大きな）プラズマディスプレイ装置を実現することができる。
【図面の簡単な説明】
【００２６】
【図１】本発明の一実施形態であるプラズマディスプレイパネルの一部を示す要部拡大分解斜視図である。
【図２】図１中の矢印Ｄ１の方向から見たＰＤＰの要部拡大断面図である。
【図３】図１中の矢印Ｄ２の方向からみたＰＤＰの要部拡大断面図である。
【図４】図１に示すプラズマディスプレイパネルを用いたプラズマディスプレイ装置及びこれに映像源を接続した画像表示システムの構成例を示す説明図である。
【図５】図１に示したプラズマディスプレイパネルに１枚の画を表示するのに要する１ＴＶフィールド期間の動作を示すタイムチャートである。
【図６】図５の書き込み放電期間においてＡ電極、Ｘ電極、及びＹ電極に印加される電圧波形を示す説明図である。
【図７】図５の表示期間の間に表示電極（表示放電電極とも呼ぶ）であるＸ電極とＹ電極の間に一斉に印加される表示放電パルスを示す説明図である。
【図８】図４に示す駆動手段の詳細な構造例を模式的に示す説明図である。
【図９】プラズマディスプレイパネルにフィルタを設置した時の光の進行方向を模式的に示す説明図である。
【図１０】本発明の他の実施形態であるプラズマディスプレイパネルを視野空間側からの平面を示す要部拡大平面図である。
【図１１】図１０に示したＤ１の方向から見た要部拡大断面図である。
【図１２】図１０に示したＤ２の方向から見た要部拡大断面図である。
【図１３】図２に示すプラズマディスプレイパネルの比較例を示す要部拡大断面図である。
【発明を実施するための形態】
【００２７】
以下の実施の形態では、本実施の形態を説明するための全図において同一機能を有するものは同一の符号を付すようにし、その繰り返しの説明は原則として省略する。また、本実施の形態を説明するための全図においては、各部材の構成をわかりやすくするために、平面図あるいは斜視図であってもハッチングや模様を付す場合がある。以下、本発明の実施の形態を図面に基づいて詳細に説明する。
【００２８】
（実施の形態１）
＜基本構造及び動作の説明＞
まず、本願発明者らが検討したＰＤＰの一例としてＡＣ面放電型ＰＤＰの基本構造などについて説明する。なお、本実施の形態においてＰＤＰを構成する一対の基板である「前面板」及び「背面板」は、両者を組み立ててパネル化した際に、蛍光体による発光が通過して表示面となる側（視野空間側）を前面板、表示面の反対側に位置する側を背面板として説明する。また、「前面板」及び「背面板」は、それぞれガラス基板からなる前面基板及び背面基板を基材とし、基材に後述する各部材を形成した基板構造体として説明する。
【００２９】
図１は本実施の形態のＰＤＰの構造の一部を示す要部拡大分解斜視図である。本実施の形態のＰＤＰ１は、放電空間を介して対向配置される前面板２及び背面板３を有している。
【００３０】
前面板２は、基材となる前面ガラス基板２１（後に説明する視野空間側の基板）を有している。前面ガラス基板２１の下面（内側の面）には、可視光に対して透明な共通電極であるＸ電極２２−１乃至２２−２と、透明な独立電極であるＹ電極（走査電極）２３−１乃至２３−２を付設している。また、Ｘ電極２２−１乃至２２−２とＹ電極２３−１乃至２３−２には、それぞれＸバス電極２４−１乃至２４−２とＹバス電極２５−１乃至２５−２を積層付設している。さらに、Ｘ電極２２−１乃至２２−２、Ｙ電極２３−１乃至２３−２、Ｘバス電極２４−１乃至２４−２、Ｙバス電極２５−１乃至２５−２を誘電体２６によって被覆し、例えば、酸化マグネシウム（ＭｇＯ）等の保護膜（保護層ともいう）２７を付設し、誘電体２６を覆っている。Ｘ電極２２−１乃至２２−２とＸバス電極２４−１乃至２４−２をまとめてＸ電極と総称することもある。Ｙ電極２３−１乃至２３−２とＹバス電極２５−１乃至２５−２をまとめてＹ電極と総称することもある。また、Ｘ電極２２−１乃至２２−２、Ｙ電極２３−１乃至２３−２、Ｘバス電極２４−１乃至２４−２、Ｙバス電極２５−１乃至２５−２をまとめて表示放電電極または表示電極（ＸとＹの対の概念を含む時は表示放電電極対または表示電極対）と総称する。このようにして一体加工した基板構造体を前面板２と呼ぶ。
【００３１】
本実施の形態では、Ｘ電極２２−１乃至２２−２、Ｙ電極２３−１乃至２３−２を可視光に対して透明な電極とした。これは、透明な導電性材料で構成することにより、放電空間３３内で生じた光をより多く視野空間側に取り出すことができ、明るい（輝度の大きな）パネルが得られるからである。ただし、Ｘ電極２２−１乃至２２−２、Ｙ電極２３−１乃至２３−２は透明な電極材料に限定されないことは言うまでもない。
【００３２】
また、本実施の形態では、保護膜２７の材料として酸化マグネシウム（ＭｇＯ）を用いているが、保護膜２７の材料もこれに限定されない。保護膜２７は、入射するイオンから表示放電電極と誘電体２６を保護すること、イオン入射に伴う２次電子放出により放電発生と放電継続を支援すること、及びプライミング電子の発生により放電発生の高速化を行うこと、などの目的から付設され、このような目的を達することが出来れば他の材料と置き換えることもできる。
【００３３】
一方、背面板３は、基材となる背面ガラス基板２８を有している。背面ガラス基板２８の上面（内側の面）には、Ｘ電極２２−１乃至２２−２、Ｙ電極２３−１乃至２３−２と直角に立体交差する電極であるＡ電極（アドレス電極）２９を付設し、該Ａ電極２９を誘電体３０によって被覆し、該誘電体３０の上に隔壁３１をＡ電極２９と平行に設けている。本実施の形態では、隔壁３１はＡ電極２９と平行な成分で構成されている（ストレート隔壁）が、隔壁３１の配置は種々の変形例を適用することができる。例えば隔壁３１はＡ電極２９と直角な成分を含む構成（ボックス隔壁）とすることもできる。隔壁３１の壁面と誘電体３０の上面によって形成される凹領域の内側に蛍光体３２を塗布する。このようにして一体加工したものを背面板３と呼ぶ。
【００３４】
上記のように必要な構成要素を作り込んだ前面板２と背面板３を接合し、プラズマを生成するためのガス（放電ガス）を充填し、封止してＰＤＰ１が形成される。なお、前面板２、背面板３の接合および封止において上記放電ガスの気密性が保持される必要があることは言うまでもない。
【００３５】
図２は図１中の矢印Ｄ１の方向から見たＰＤＰの要部拡大断面図であり、画素の最小単位であるセル１個を概略示している。また、図１３は、本実施の形態に対する比較例であるＰＤＰの断面図であって、図２に示す断面に対応した部分を示している。セルの境界は概略破線で示す位置である。以下、セルのことを放電セルとも呼ぶ。図２において、Ａ電極２９は２つの隔壁３１の中間に位置し前面ガラス基板２１と背面ガラス基板２８、隔壁３１に囲まれた放電空間３３には上記プラズマを生成するためのガス（放電ガス）が充填されている。
【００３６】
放電空間３３とはＰＤＰ１の駆動において、後に述べる表示放電、書き込み放電、予備放電（リセット放電とも称す）のいずれかの発生する空間のことである。さらに、具体的には、上記放電ガスが満たされ、上記放電に必要な電界が印加され、放電発生に必要な空間的広がりを有する空間である。さらに、表示放電の発生する空間（具体的には、上記放電ガスが満たされ、表示放電に必要な電界が印加され、表示放電発生に必要な空間的広がりを有する空間）を表示放電空間と呼ぶ。放電空間および表示放電空間は、個々の放電セルに含まれる空間を意味する場合もあるし、これら空間の集合を意味する場合もある。
【００３７】
カラーＰＤＰでは、通常セル内に塗布する蛍光体には、赤、緑、青用の３種類がある。この３種類の別々の蛍光体を塗布した３セルをまとめて１画素とする。このようなセル、または画素が複数個連続的かつ周期的に集合した空間を表示空間と呼ぶ。このような表示空間を含み真空封着機能、電極取り出し機能等他の必要な機能を有するものをプラズマディスプレイパネル（ＰＤＰ）またはプラズマパネルと呼ぶ。
【００３８】
上記ＰＤＰにおいて、上記放電ガスの気密性を保持して一体不可分の構成部を基本ＰＤＰ（基本プラズマパネル）と称す。上記基本ＰＤＰにおいて、表示用の可視光が放射する面を表示面とし、上記表示用の可視光が放射される空間を視野空間とする。上述した如く、上記基本ＰＤＰにおいて少なくとも複数の上記放電セルを連続的に包含する空間が存在し、これを表示空間とする。上記表示空間の上記表示面への投影領域を表示領域Ｒｐとする。また、上記放電空間の上記表示面への投影領域を放電領域とする。また、上記表示放電空間の上記表示面への投影領域を表示放電領域とする。また、上記表示領域Ｒｐにおける上記表示放電領域以外の領域を非表示放電領域とする。また、上記放電セルの上記表示面への投影領域をセル領域とする。また、上記表示面に対して垂直方向を、高さ方向とする。
【００３９】
上記放電セルが隔壁を構成要素の一部として有する時、上記隔壁を介して隣接する２セルの中心間を結ぶ方向を幅方向とし、上記表示面と平行な面において上記幅方向と直角方向を長手方向とする。
【００４０】
上記幅方向の上記隔壁の幅を隔壁幅とし、上記隔壁幅の上記高さ方向での平均値を平均隔壁幅Ｗｒｂａとする。
【００４１】
図１に示す構造例では、ＰＤＰ１における上記隔壁３１の長手方向が概略一方向に沿って延在するように配置されている。このような隔壁３１の配置構造をストレート隔壁構造と呼ぶ。また、別の構造例では、ＰＤＰにおける上記隔壁の長手方向が少なくとも２方向すなわちＤＲ１とＤＲ２に配置されてある。このような隔壁の配置構造をボックス隔壁構造と呼ぶ。
【００４２】
図３は図１中の矢印Ｄ２の方向からみたＰＤＰの要部拡大断面図であり、１個のセルを示している。セルの境界は概略一点鎖線で示す位置である。図３に示す表示電極対（Ｘ電極とＹ電極）間の隙間の幅は、表示電極間ギャップＷｇｘｙと呼ぶ。なお、図３では、説明のため電子１３、正イオン１４、正壁電荷１５、負壁電荷１６を模式的に示している。
【００４３】
図３には、例として、Ｙ電極２３−１に負の電圧を、Ａ電極２９とＸ電極２２−１に（相対的に）正の電圧を印加して放電が発生、終了した模式図を表している。この結果、Ｙ電極２３−１とＸ電極２２−１の間の放電を開始するための補助となる壁電荷の形成（これを書き込みと称す）が行われている。この状態でＹ電極２３−１とＸ電極２２−１の間に適当な逆の電圧を印加すると、誘電体２６（及び保護膜２７）を介して両電極の間の放電空間で放電が起こる。放電終了後Ｙ電極２３−１とＸ電極２２−１の印加電圧を逆にすると、新たに放電が発生する。これを繰り返すことにより継続的に放電を形成できる。これを表示放電（又は維持放電）と呼ぶ。
【００４４】
図４は図１に示すＰＤＰを用いたプラズマディスプレイ装置及びこれに映像源を接続した画像表示システム（プラズマディスプレイ装置）の構成例を示す説明図である。プラズマディスプレイ装置１００は、ＰＤＰ１及びＰＤＰ１を駆動する駆動手段１０１を有している。また、図４では、駆動手段１０１に表示画面の信号を送る映像源１０２を有する構成例を示している。駆動手段（駆動回路とも呼ぶ）１０１は、映像源１０２からの表示画面の信号を受取り、これを以下に説明するような手順でＰＤＰ１の駆動信号に変換してＰＤＰ１を駆動する。
【００４５】
図５〜図７は図１に示したＰＤＰに１枚の画を表示するのに要する１ＴＶフィールド（以下フィールドとも称す）期間の動作を示す説明図である。図５はタイムチャートである。（Ｉ）に示すように１ＴＶフィールド４０は複数の異なる発光回数を持つサブフィールド４１乃至４８に分割されている。各サブフィールド毎の発光と非発光の選択により階調を表現する。各サブフィールド４１、４２、４３、４４、４５、４６、４７、４８は（ＩＩ）に示すように予備放電期間４９、発光セルを規定する書き込み放電期間５０、表示期間（発光表示期間とも呼ぶ）５１からなる。
【００４６】
予備放電期間４９は、各セルの状態（駆動特性を規定する状態）を均一にし、かつ以降の駆動を安定確実に行なうことを目的とした動作を行なう期間である。通常、予備放電期間４９において予備放電、リセット放電または全書き放電（表示領域全体を同時に書き込みする放電）が行なわれる。
【００４７】
図６は、図５の書き込み放電期間においてＡ電極、Ｘ電極、及びＹ電極に印加される電圧波形を示す。波形５２は書き込み放電期間５０に於ける１本のＡ電極に印加する電圧波形、波形５３はＸ電極に印加する電圧波形、波形５４、５５はＹ電極のｉ番目と（ｉ＋１）番目に印加する電圧波形の例を示しており、それぞれの電圧をＶ０，Ｖ１，Ｖ２（Ｖ）とする。図６より、Ｙ電極のｉ行目にスキャンパルス５６（図６ではスキャンパルス時の電圧は接地電圧（ＧＮＤ）であるが、負電圧にする場合もある）が印加された時、Ａ電極２９との交点に位置するセルで書き込み放電が起こる。また、Ｙ電極のｉ行目にスキャンパルス５６が印加された時、Ａ電極２９がグランド電位（基準電位）であれば書き込み放電は起こらない。このように、書き込み放電期間５０に於いてＹ電極にはスキャンパルスが１回印加され、Ａ電極２９にはスキャンパルスに対応して発光セルではＶ０、非発光セルではグランド電位となる。この書き込み放電が起こった放電セルでは、放電で生じた電荷がＹ電極を覆う誘電体および保護膜の表面に形成される。この電荷によって発生する電界の助けによって後述する表示放電のオンオフを制御できる。すなわち、書き込み放電を起こした放電セルは発光セルとなり、それ以外は非発光セルとなる。また、書き込み放電を起こした放電セルが非発光セルとなり（書き込み放電により全書き放電で形成した壁電荷を消去する）、それ以外が発光セルとなる駆動法も存在する。
【００４８】
図７は図５の表示期間５１の間に表示電極（表示放電電極とも呼ぶ）であるＸ電極とＹ電極の間に一斉に印加される表示放電パルスを示す。Ｘ電極には電圧波形５８が、Ｙ電極には電圧波形５９が印加される。どちらも同じ極性の電圧Ｖ３（Ｖ）のパルスが交互に印加されることにより、Ｘ電極とＹ電極との間の相対電圧は反転を繰り返す。この間にＸ電極とＹ電極の間の放電ガス中で起こる放電を表示放電と称す。ここでは、表示放電はパルス的に交互に行なわれる。表示期間においてＸ電極及びＹ電極に印加される電圧をそれぞれＶｘ（ｔ）,Ｖｙ（ｔ）とし、表示期間においてセルに外部から印加される電圧を表示電極間電圧Ｖｓｅ（ｔ）とすると、表示電極間電圧Ｖｓｅ（ｔ）は、
Ｖｓｅ（ｔ）＝Ｖｙ（ｔ）−Ｖｘ（ｔ）      （１）
である。上記でｔは時間を表す。表示放電パルス印加時における表示電極間電圧Ｖｓｅ（ｔ）の絶対値｜Ｖｓｅ（ｔ）｜の最大値を表示放電最大印加電圧と称し、Ｖｓｅｍａｘで表す。図７において、ＶｓｅｍａｘはＶ３（Ｖ）である。しかし、もし実際に表示電極に印加される電圧が図７のような矩形波ではなく、途中回路の容量、インダクタンス、抵抗等で変動する場合は、Ｖ３は表示放電パルス印加時の平均的な表示電極電圧を表しており、ＶｓｅｍａｘはＶ３とは若干異なった値となる。
【００４９】
上記表示放電パルスを形成する手段は、例えば、図４に示す駆動手段１０１の中に設置される。この概要を図８に示してある。上記表示放電パルスを形成する手段は、直流電圧を供給する手段すなわち表示放電直流電源と、上記表示放電直流電源と上記表示電極の間に設置されるスイッチ回路（図８のスイッチ回路Ｘとスイッチ回路Ｙ）を構成要素の一部として構成される。表示放電直流電源は単なるコンデンサーである場合もあるし、さらに単なる接地電極（接地配線）である場合もある。スイッチ回路は、接地電位を含めて表示放電直流電源の出力電圧を選択して表示電極に印加する働きをしている。表示期間における上記表示放電直流電源間の出力電圧差の絶対値の最大値を直流電源表示放電電圧Ｖｓｄｃとする。直流電源表示放電電圧Ｖｓｄｃは上記Ｖ３と概略等しいが、もし実際に表示電極に印加される電圧が図７のような矩形波ではなく、途中回路の容量、インダクタンス、抵抗等で変動する場合は、ＶｓｄｃはＶ３とは若干異なった値となる。
【００５０】
以上では、書き込み放電期間と表示期間が分離している駆動方式（書き込み表示分離駆動方式）で表示放電を説明したが、表示放電の本質は表示に必要な発光を意図的に実現するための放電であり、他の駆動でもこのような放電を表示放電と認識するのは言うまでもない。例えば、上記説明の駆動方式（書き込み表示分離駆動方式）では全表示領域において書き込み放電期間と発光表示期間が同時に設定されているが、書き込み放電期間と発光表示期間を走査電極（Ｙ電極）毎に独立に設定する駆動方式（書き込み表示同時駆動方式）も可能である。
【００５１】
また、本実施の形態ではいわゆるプログレッシブ駆動方式を用いており、毎フィールド毎に表示領域の全ての放電セルを用いて画像表示が行なわれる。一方、いわゆるインタレース駆動方式も可能である。インタレース駆動方式では、ＰＤＰの放電セルが２種類（例えばＡグループとＢグループ）に分類され、フィールド毎にＡグループとＢグループのいずれかの放電セルを用いて画像表示が行なわれる。例えば、フィールドを時間順交互に奇数フィールドと偶数フィールドに分類し、奇数フィールドではＡグループ放電セルを用いて、偶数フィールドではＢグループ放電セルを用いて画像表示が行なわれる。さらに、上記奇数フィールドと偶数フィールドの駆動において共通の走査電極（Ｙ電極）を用いることも可能である。以上のようなインタレース駆動方式及びこの駆動方式が適用されるＰＤＰを用いたプラズマディスプレイ装置をＡＬＩＳ（Ａｌｔｅｒｎａｔｅ Ｌｉｇｈｔｉｎｇ ｏｆ Ｓｕｒｆａｃｅｓ）方式プラズマディスプレイ装置と呼び、この詳細は「Y. Kanazawa, T. Ueda, S. Kuroki, K. Kariya and T. Hirose：”High-Resolution Interlaced Addressing for Plasma Displays”, 1999 SID International Symposium Digest of Technical Papers, Volume XXX, 14.1, pp. 154-157 (1999)」に発表されている。
【００５２】
次に、本願発明者が、以下に示す新たな課題を見出すに至った検討内容、及びこの新たな課題を解決する手段についての検討内容について説明する。
【００５３】
＜コントラストについて＞
まず、コントラストＣに関する議論を行う。コントラストＣは、
Ｃ＝Ｂｐｏｎ/Ｂｏｆｆ      （２）
と定義される。Ｂｐｏｎは発光表示（あるいは、最高輝度表示）をした時の輝度、Ｂｏｆｆは黒表示をした時の輝度であり、いずれもｃｄ/ｍ２の単位で表現される。輝度は、通常輝度計を用いて測定される。コントラストＣはさらに、明室コントラストＣｂ及び暗室コントラストＣｄとして区別して測定され、それぞれ明るい環境（通常は家庭内居間の明るさすなわち照度１５０〜２００ｌｘ（ルックス）を想定）及び暗室でのコントラストに対応する。（２）式で求められるコントラストの値が大きいほど、より鮮明で美しい画像を表現できる。すなわち、プラズマディスプレイ装置ではより大きなコントラストが求められる。
【００５４】
プラズマディスプレイ装置においては、暗室における黒表示時の輝度Ｂｏｆｆは必ずしも０ではない。なぜなら、予備放電期間における予備放電（リセット放電または全書き放電とも呼ぶ）や書き込み放電期間における書き込み放電により、必ずしも画像表示に必要でない発光が生じるからである。したがって、プラズマディスプレイ装置においては、暗室コントラストも無限大でなく有限値を有する。この値は、
Ｃｄ＝Ｂｐｏｎｄ/Ｂｏｆｆｄ      （３）
である。ただし、Ｂｐｏｎｄ及びＢｏｆｆｄは、それぞれ「暗室における発光表示（あるいは、最高輝度表示）をした時の輝度[ｃｄ/ｍ２]」及び「暗室における黒表示をした時の輝度[ｃｄ/ｍ２]」である。暗室コントラストＣｄを大きくするには、Ｂｐｏｎｄを大きくするかＢｏｆｆｄを小さくするかであり、セル構造および放電特性で決定される。
【００５５】
一方、明室コントラストＣｂを大きくするために、光の透過特性を制御したフィルタが通常用いられる。図９にその概略構成を示してある。図９は、ＰＤＰにフィルタを設置した時の光の進行方向を模式的に示す説明図である。以下、フィルタによる明室コントラストＣｂ増大の原理を説明する。
【００５６】
図９の構成において、ＰＤＰ１として囲った部分が、基本ＰＤＰに相当する部分である。基本ＰＤＰは、モジュール（ＰＤＰモジュール）と呼ぶこともある。図９の構成において、視点方向から表示画像を見た時の明室コントラストＣｂは概略、
Ｃｂ=(Ｂｐｏｎｍ＊α＋Ｂｒ＊α２＊β)/(Ｂｏｆｆｍ＊α＋Ｂｒ＊α２＊β)  （４）
となる。ただし、
Ｂｐｏｎｍ:フィルタなしで（すなわち基本ＰＤＰだけで）暗室における発光表示をした時の輝度、すなわちモジュール輝度[ｃｄ/ｍ２]、
Ｂｏｆｆｍ：フィルタなしで（すなわち基本ＰＤＰだけで）暗室における黒表示をした時の輝度[ｃｄ/ｍ２]、
Ｂｒ：室内光輝度、明室における外光がフィルタ前面（フィルタの視点側面）に仮想的に設置した完全反射面（表面反射率１００％の拡散反射面）で形成する輝度[ｃｄ/ｍ２]、
α：フィルタの透過率、
β：ＰＤＰの表示領域における表示面での表面反射率の平均値、すなわち表示領域表面反射率、モジュール反射率、あるいはパネル反射率とも称す。
記号＊は、掛け算を表す。明室環境照度をＬｌｘとすると、Ｂｒ＝Ｌ/π≒Ｌ/３．１４ｃｄ/ｍ２である。
【００５７】
表面反射率とは、「ある面（入射面）に入射した光の一部が反射光として出射する状況において、入射光エネルギーに対する反射光エネルギーの割合」である。また、透過率とは、「ある物体の表面（入射面）に入射した光の一部がその物体を透過して透過光として出射する状況において、入射光エネルギーに対する透過光エネルギーの割合」である。
表面反射率および透過率とも、入射面の任意の場所において入射光の波長程度の精度で場所を特定して定義および測定することが原理的に可能である。通常は、表面反射率および透過率とも、表面反射率測定器および透過率測定器を用いて入射面の場所の関数として測定される。また、通常は、表面反射率、透過率とも入射光の波長の関数である。したがって、（４）式の表面反射率β及び透過率αは、可視光波長の範囲において室内光の波長分布スペクトラムと人間の視感度を考慮して決定される平均値である。さらに簡便には、人間の視感度の大きな波長範囲すなわち５００ｎｍ〜６００ｎｍの波長範囲における表面反射率および透過率の平均値である。また、（４）式においてフィルタ表面での可視光の反射はないと仮定した。
【００５８】
（４）式においてＢｒ＝０としたＣｂは暗室コントラストＣｄを与え、
Ｃｄ＝Ｂｐｏｎｍ/Ｂｏｆｆｍ      （５）
となる。
【００５９】
（４）式において通常の明室条件（Ｌ＝１５０〜２００ｌｘ）では、
Ｂｐｏｎｍ＊α＞＞Ｂｒ＊α２＊β、
Ｂｏｆｆｍ＊α＜＜Ｂｒ＊α２＊βである。したがって、（４）式は
Ｃｂ≒Ｂｐｏｎｍ/（Ｂｒ＊α＊β）      （６）
となる。すなわち、Ｂｐｏｎｍ,Ｂｒ,βが一定のとき、フィルタ透過率αを小さくすると明室コントラストＣｂはαに反比例して大きくなる。これが、フィルタにより明室コントラストを増大させる原理である。
【００６０】
次に、発光効率の議論を行なう。発光効率ｈとして、フィルタを用いない時（すなわち図９でＰＤＰ１だけの時）の発光効率ｈｍとフィルタを用いた時（すなわち図９でＰＤＰ１にフィルタを設置した時）の発光効率ｈｓを定義することができ、
ｈｍ＝π＊Ｂｐｏｎｍ＊Ｓｐ/Ｐｄｐ      （７）
ｈｓ＝π＊Ｂｐｏｎｍ＊α＊Ｓｐ/Ｐｄｐ      （８ａ）
＝α＊ｈｍ      （８ｂ）
である。ただし、
ｈｍ：フィルタを用いない時の発光効率、モジュール発光効率と呼ぶ[ｌｍ/Ｗ]、
ｈｓ：フィルタを用いた時の発光効率、セット発光効率と呼ぶ[ｌｍ/Ｗ]、
π：円周率、
Ｓｐ：発光表示領域の面積[ｍ２]、
Ｐｄｐ：放電電力、プラズマパネルの放電空間への投入電力[Ｗ]
である。ただし、発光は完全拡散発光であると仮定した。（７）、（８ａ）、（８ｂ）式は、任意の階調表示時において成立する。
【００６１】
また、セット輝度Ｂｐｏｎｓは、
Ｂｐｏｎｓ＝Ｂｐｏｎｍ＊α      （９）
Ｂｐｏｎｓ：フィルタありで（すなわちセット状態で）暗室における発光表示をした時の輝度、すなわちセット輝度[ｃｄ/ｍ２]
となる。
【００６２】
最終的に重要なのは当然セットの性能であり、セットのＢＣ積
Ｆｂｃｓ≡Ｂｐｏｎｓ＊Ｃｂ      （１０）
Ｆｂｃｓ：セットのＢＣ積[ｃｄ/ｍ２]
である。記号≡は、等号であり、実質的に記号＝と同等である。定義の意味を示すために、記号≡を用いた。セットのＢＣ積Ｆｂｃｓを増大させることが、高輝度かつ高コントラストなＰＤＰを実現することになる。
【００６３】
（６）、（９）、（１０）式より、
Ｆｂｃｓ＝Ｂｐｏｎｍ２/（Ｂｒ＊β）      （１１）
であり、（１１）、（７）式を用いて、
Ｆｂｃｓ０．５＝(Ｐｄｐ/(Ｂｒ０．５＊π＊Ｓｐ))＊(ｈｍ/β０．５)  （１２）
となる。
【００６４】
すなわち、
Ｆｂｃｓ０．５＝Ａ＊ｈｆｎ      （１３）
Ａ≡Ｐｄｐ/（Ｂｒ０．５＊π＊Ｓｐ）      （１４）
ｈｆｎ≡ｈｍ/β０．５      （１５）
Ａ：駆動および環境で定まる係数[Ｗ＊ｃｄ０．５/（ｌｍ＊ｍ）]、
ｈｆｎ：基本発光効率[ｌｍ/Ｗ]
となる。（１３）−（１５）式より、「放電電力Ｐｄｐ一定（Ａ一定）の下で、セットのＢＣ積Ｆｂｃｓを増大させるには基本発光効率ｈｆｎを増大させることが必須である」ことがわかる。このことは、発明者の考察により初めて明らかになったことである。
【００６５】
（１５）式で定義されるｈｆｎを「基本」発光効率と称する理由について説明する。（１５）式は、モジュール（フィルタなし）の物理量であるモジュール発光効率ｈｍとパネル（フィルタなし、モジュール）反射率βで定義されているが、これと同様の物理量を形式的に
ｈｆｎｓ≡ｈｓ/βｓ０．５      （１６）
ｈｆｎｓ：セットの基本発光効率[ｌｍ/Ｗ]、
βs：セットの反射率
と定義する。
【００６６】
図９を参考にして
βｓ＝β＊α２      （１７）
だから、（８ｂ）、（１６）、（１７）式より、
ｈｆｎｓ＝ｈｍ＊α/（β０．５＊α）      （１８ａ）
＝ｈｍ/β０．５      （１８ｂ）
＝ｈｆｎ      （１８ｃ）
となる。
【００６７】
すなわち、（１６）式で定義されるｈｆｎｓは、フィルタの透過率αに関係なく一定となり、その値は（１５）式で定義されるｈｆｎに等しい。この意味で、（１５）式で定義されるｈｆｎを基本発光効率と称する。
【００６８】
＜電力について＞
次に、電力に関して議論する。駆動回路を含めたＰＤＰが消費する電力Ｐｐは、放電電力Ｐｄｐと無効電力Ｐｃｐに区分され
Ｐｐ＝Ｐｄｐ＋Ｐｃｐ      （１９）
Ｐｄｐ：放電電力、プラズマパネルへの放電投入電力[Ｗ]
Ｐｃｐ：無効電力、主に駆動回路部で消費される電力[Ｗ]
となる。
【００６９】
放電電力Ｐｄｐについて議論する。プラズマパネルへの放電投入電力Ｐｄｐは、
Ｐｄｐ＝Ｎｃｂ＊Ｐｄｃ      （２０）
Ｐｄｃ＝２＊Ｆｄｒ＊Ｃｄｃ＊Ｖｓ２      （２１）
ただし、
Ｐｄｃ：１放電セルの放電電力、１放電セルへの放電投入電力［Ｗ］、
Ｎｃｂ：プラズマパネル内（表示空間内）の表示放電を行うセル（ｏｎセル）の数、
Ｆｄｒ：駆動周波数[Ｈｚ]、
Ｃｄｃ：１放電セルの放電容量、１放電セルにおける表示電極が放電電荷を蓄積する容量[Ｆ]、
Ｖｓ：表示放電電圧[Ｖ]
である。駆動周波数Ｆｄｒは、単位時間（１秒間）において表示電極への周期的な電圧印加が行なわれる回数である。放電容量Ｃｄｃは、１放電セルにおいて表示電極（Ｘ電極あるいはＹ電極）が誘電体２６及び保護膜２７を介して保護膜２７表面上の仮想電極と形成する容量である。１セルの放電容量Ｃｄｃは、さらに、
Ｃｄｃ＝ε＊Ｓｓｅ/Ｄｓｉｆ      （２２）
ただし、
ε：誘電体２６及び保護膜２７を総合した層の平均的誘電率[ＣＶ−１ｍ−１]、
Ｓｓｅ：１放電セルにおける表示電極（Ｘ電極あるいはＹ電極）の面積、表示電極面積 [ｍ２]、
Ｄｓｉｆ：誘電体厚さ、誘電体２６及び保護膜２７を総合した層の厚さ[ｍ]
である。
【００７０】
図３に、誘電体厚さＤｓｉｆの定義を示してある。誘電体厚さＤｓｉｆは、前面ガラス基板２１の表面上に形成する誘電体２６及び保護膜２７を総合した層において、表示電極（Ｘ電極、Ｘバス電極、Ｙ電極、あるいはＹバス電極）と（厚さ方向に）重なる位置での厚さの平均値である。
【００７１】
式（２０）、（２１）、（２２）より、プラズマパネルへの放電投入電力Ｐｄｐは、
Ｐｄｐ＝２＊Ｎｃｂ＊ε＊Ｆｄｒ＊（Ｓｓｅ/Ｄｓｉｆ）＊Ｖｓ２      （２３）
である。
【００７２】
すなわち、他の条件が一定とすると、同じ放電投入電力Ｐｄｐを実現するためには表示電極面積Ｓｓｅと誘電体厚さＤｓｉｆが比例の関係にある。すなわち、表示電極面積Ｓｓｅが減少しても、それに比例して誘電体厚さＤｓｉｆを減少すれば同一の放電投入電力Ｐｄｐをプラズマパネルに投入することができる。
【００７３】
無効電力Ｐｃｐについて議論する。無効電力Ｐｃｐは、
Ｐｃｐ＝２＊（１−βｃｐ）＊Ｃｗｐ＊Ｖｓ２＊Ｆｄｒ      （２４）
βｃｐ：電力回収効率、
Ｃｗｐ：パネル配線容量[Ｆ]
である。また、パネル配線容量は、
Ｃｗｐ＝Ｎｃｐ＊Ｃｗｃ      （２５）
Ｎｃｐ：プラズマパネル内（表示空間内）のセル総数、
Ｃｗｃ：セル配線容量、１放電セルにおいて表示電極対が形成する配線容量[Ｆ]
である。セル配線容量Ｃｗｃは、１放電セルにおいて表示電極対（Ｘ電極とＹ電極）が形成する配線容量である。一般に、誘電体厚さＤｓｉｆを小さくすると、セル配線容量Ｃｗｃが減少する。誘電体厚さＤｓｉｆを小さくすると、表示電極対間の電気力線が比誘電率ｋの大きな誘電体層から比誘電率ｋの小さな真空中（放電空間中）に押し出されるからである。
【００７４】
以上の考察の下に、全白表示の高性能化について議論する。全白表示では、通常Ｐｄｐ＞＞Ｐｃｐである。したがって、（１９）式よりＰＤＰの消費電力Ｐｐは放電電力Ｐｄｐに概略等しくなり、Ｐｐ≒Ｐｄｐである。今、消費電力Ｐｐ（すなわち、概略放電電力Ｐｄｐ）、室内光輝度Ｂｒ、及び発光表示領域面積（すなわち、ディスプレイサイズ）Ｓｐの駆動および環境条件を一定にして考えると、（１４）式の係数Ａは一定となり、（１３）式よりセットＢＣ積Ｆｂｃｓの平方根が基本発光効率ｈｆｎに比例することとなる。すなわち、「Ａ１：全白表示における表示性能（セットＢＣ積Ｆｂｃｓ）は、基本発光効率ｈｆｎの２乗で増大する」ことがわかる。さらに、（１５）式より、基本発光効率ｈｆｎを増大するには、表示領域表面反射率（モジュール反射率）βを低減することが有効であることがわかる。すなわち、「Ａ２：全白表示における表示性能（セットＢＣ積Ｆｂｃｓ）の高性能化を達成する有効な方法は、表示領域表面反射率（モジュール反射率）βを低減することである」ことがわかる。
【００７５】
＜モジュール反射率について＞
次に、モジュール反射率すなわち表示領域表面反射率βを低減する方法について議論する。表示領域表面反射率βは、表示領域での表面反射率の平均値である。表示領域表面反射率βを増大させる最大要因は、上記表示領域の上記表示面における面積（すなわち表示領域面積）に対する上記放電領域の上記表示面における面積（すなわち放電領域面積）の割合（すなわち放電領域面積率）の増加である。特に、表示領域面積に対する表示放電領域面積（上記表示放電領域の上記表示面における面積）の割合（すなわち表示放電領域面積率）が重要である。なぜなら、放電領域を定める放電空間（特に表示放電空間）においては表示放電が行なわれ、表示放電で発生する紫外線を可視光に変換する蛍光体が広い面積で塗布されているからである。蛍光体で発生する可視光を有効活用するために、一般的に蛍光体層（蛍光体を塗布した層）は、白色の蛍光体で構成されるので、蛍光体層の反射率は高い。さらに、放電空間の構造自体が、蛍光体層で発生した可視光を効率良く視野空間に放出する構造になっている。すなわち、外部から見たとき放電空間自体が白色である。すなわち、放電領域の反射率が高い。したがって、放電領域面積率（特に表示放電領域面積率）が大きくなると表示領域表面反射率βが増大する。
【００７６】
表示放電領域面積率Ａｄを、
Ａｄ＝Ｓｄ/Ｓｐ      （２６）
Ｓｄ：表示放電領域面積[ｍ２]、
Ｓｐ：表示領域面積[ｍ２]
とすると、例えば、図１３に示す比較例のＰＤＰでは、表示放電領域面積率Ａｄは４５％以上である。特に、ＡＬＩＳ方式プラズマディスプレイ装置を用いた場合には、表示放電領域面積率Ａｄは６５％以上である。この結果、比較例のＰＤＰでの表示領域表面反射率（モジュール反射率）βは２５％以上である。特に、ＡＬＩＳ方式プラズマディスプレイ装置の場合には、表示領域表面反射率βは３２％以上である。すなわち、「Ａ３：モジュール反射率すなわち表示領域表面反射率βを低減する有効な方法は、表示放電領域面積率Ａｄを低減することである」ことがわかる。
【００７７】
さらに、「Ａ４：表示放電領域面積率Ａｄを低減すると、必然的に各放電セルにおける表示電極面積Ｓｓｅが減少する」と言える。常に、Ｓｓｅ＜Ａｄだからである。
【００７８】
以上のＡ１〜Ａ４の議論と結論をまとめると、「Ａ５：全白表示における表示性能（セットＢＣ積Ｆｂｃｓ）を向上すべく基本発光効率ｈｆｎの増大、表示領域表面反射率（モジュール反射率）βの低減、表示放電領域面積率Ａｄの低減を図ると、必然的に各放電セルにおける表示電極面積Ｓｓｅが減少する」ことがわかる。
【００７９】
＜小表示率表示性能について＞
次に、小表示率表示性能について議論する。すなわち、表示率が概略１０％以下の表示の性能について議論する。小表示率表示では、通常Ｐｃｐ＞＞Ｐｄｐである。したがって、（１９）式よりＰＤＰの消費電力Ｐｐは無効電力Ｐｃｐに概略等しくなり、Ｐｐ≦Ｐｃｐである。今、消費電力Ｐｐ（すなわち、概略無効電力Ｐｃｐ）、電力回収効率βｃｐ、パネル配線容量Ｃｗｐ、表示放電電圧Ｖｓを一定にして考えると、（２４）式より駆動しうる最大の駆動周波数Ｆｄｒも一定になる。この時、（２３）式より、表示率（表示放電セル数Ｎｃｂ）、誘電体誘電率ε、誘電体厚さＤｓｉｆ、表示放電電圧Ｖｓが一定と考えれば、放電電力Ｐｄｐは表示電極面積Ｓｓｅに比例する。この結果、（７）式、（９）式より、セット輝度Ｂｐｏｎｓも表示電極面積Ｓｓｅに比例する。さらに、（６）、（９）、（１０）式より、セットのＢＣ積Ｆｂｃｓは表示電極面積Ｓｓｅの２乗に比例する。すなわち、「Ａ６：小表示率表示における表示性能（セットＢＣ積Ｆｂｃｓ）は、表示電極面積Ｓｓｅの２乗に比例する」ことがわかる。
【００８０】
以上のＡ５，Ａ６の議論と結論をまとめると、「Ａ７：全白表示における表示性能（セットＢＣ積Ｆｂｃｓ）を向上すべく基本発光効率ｈｆｎの増大、表示領域表面反射率（モジュール反射率）βの低減、表示放電領域面積率Ａｄの低減を図ると、必然的に各放電セルにおける表示電極面積Ｓｓｅが減少し、この結果、小表示率表示における表示性能（セットＢＣ積Ｆｂｃｓ）が急激に低下する」ことがわかる。すなわち、「Ａ８：全白表示性能と小表示率表示性能の間にトレードオフ関係の課題が存在する」ことがわかる。
【００８１】
また、小表示率表示の条件、及び（２４）式で無効電力Ｐｃｐ一定の条件において、パネル配線容量Ｃｗｐを低減できれば駆動周波数Ｆｄｒを増大できることがわかる。すなわち、「Ａ９：Ａ８のトレードオフ関係を解消し全白表示性能と小表示率表示性能を両立するためには、表示領域表面反射率（モジュール反射率）βの低減、小表示率表示の輝度低下（単発輝度低下）の抑制、パネル配線容量の低減を同時に実現することが必須であること」がわかる。
【００８２】
＜トレードオフ関係を解消する手段＞
以下では、前記したＡ８のトレードオフ関係を解消する方法を具体的に述べる。まず、Ａ６に関連して行った議論と同様に、小表示率表示の条件で、消費電力Ｐｐ（すなわち、概略無効電力Ｐｃｐ）、電力回収効率βｃｐ、パネル配線容量Ｃｗｐ、表示放電電圧Ｖｓを一定にして考える。したがって、（２４）式より駆動しうる最大の駆動周波数Ｆｄｒも一定になる。この時、（２３）式より、表示率（表示放電セル数Ｎｃｂ）、誘電体誘電率ε、表示放電電圧Ｖｓが一定とし、誘電体厚さＤｓｉｆが可変と考えれば、放電電力Ｐｄｐは表示電極面積Ｓｓｅと誘電体厚さＤｓｉｆの商、すなわちＳｓｅ/Ｄｓｉｆに比例する。したがって、全白表示性能を増大させるために表示電極面積Ｓｓｅが減少しても、誘電体厚さＤｓｉｆを表示電極面積Ｓｓｅに比例して減少させれば、放電電力Ｐｄｐの低下は抑制され、結果として小表示率表示性能の低下を抑制できる。すなわち、「Ａ１０：誘電体厚さＤｓｉｆを減少させることにより、全白表示性能増大と小表示率表示性能増大を同時実現可能となる」ことがわかる。
【００８３】
一般に、前面板の誘電体の比誘電率ｋが概略１２の時はＤｓｉｆ＝３０μｍであり、前面板の誘電体の比誘電率ｋが概略８の時はＤｓｉｆ＝２０μｍである。このようなＤｓｉｆの値は、上記した理由に基づき、小表示率表示での輝度と明室コントラスト、すなわち小表示率表示でのセットのＢＣ積Ｆｂｃｓを所定の性能に維持するために経験的に定まった値である。すなわち、
Ｄｓｉｆ＿ｅ＝Ｄｓｉｆ/ｋ      （２７）
ｋ＝ε/ε０      （２８）
Ｄｓｉｆ＿ｅ：実効誘電体厚さ、誘電体２６及び保護膜２７を総合した層の実効厚さ[ｍ]、
ｋ：誘電体２６及び保護膜２７を総合した層の平均的比誘電率、
ε０：真空の誘電率[ＣＶ−１ｍ−１]、ε０＝８．８５×１０−１２ＣＶ−１ｍ−１
として実効誘電体厚さＤｓｉｆ＿ｅを定義すると、図１３に示す比較例においては、Ｄｓｉｆ＿ｅが概略２．５μｍである。また、前述したように、比較例において、表示放電領域面積率Ａｄは４５％以上であり、表示領域表面反射率（モジュール反射率）βは２５％以上である。
【００８４】
前述のＡ１〜Ａ３の議論により、全白表示における表示性能（セットＢＣ積Ｆｂｃｓ）を向上するためには表示放電領域面積率Ａｄを低減することが有効であり、Ａｄを４０％以下、３０％以下、あるいは２０％以下にすることが有効である。全白表示性能を増大させる観点からは、Ａｄの値を小さくすることが有効であるが、本願発明者の検討によれば、Ａｄの値を４０％以下とすれば、一般的な視覚者（本技術を適用したディスプレイを視覚する人間）が、全白表示における表示性能の向上を、ディスプレイの性能向上として感知することができる。また、Ａｄの値を低減する程、性能向上の効果はより明瞭に感知できることとなるが、Ａｄの値を１０％低減する毎に相対的な差異を明確に感知することができる。このようにＡｄの値を４０％以下、３０％以下、あるいは２０％以下とすると、表示領域表面反射率（モジュール反射率）βを２０％以下、１５％以下、あるいは１０％以下にすることができる。
【００８５】
しかし、この結果、表示電極面積Ｓｓｅが減少し、Ａ７に述べた如く、小表示率表示における表示性能（セットＢＣ積Ｆｂｃｓ）が急激に低下する。しかし、Ａ１０の議論により、誘電体厚さＤｓｉｆを減少させることにより、全白表示性能増大と小表示率表示性能増大を同時実現可能となる。具体的には、前記したＡｄの値の順に対応して、Ｄｓｉｆ＿ｅを２．２μｍ以下、１．７μｍ以下、１．１μｍ以下にすることが有効である。例えば、前面板２の誘電体２６の比誘電率ｋ＝８の時には、Ｄｓｉｆを１８μｍ以下、１４μｍ以下、９μｍ以下にすることになる。また、前面板２の誘電体２６の比誘電率ｋ＝１２の時には、Ｄｓｉｆを２６μｍ以下、２０μｍ以下、１３μｍ以下にすることになる。本願発明者の検討によれば、前記した表示放電領域面積率Ａｄの値を例えば４０％以下とした場合であっても、Ｄｓｉｆ＿ｅの値を２．２μｍ以下とすれば、小表示率表示における表示性能（セットＢＣ積Ｆｂｃｓ）の低下を抑制することができるので、前記したように一般的な視覚者が、全白表示および小表示領域表示における表示性能の向上を、ディスプレイの性能向上として感知することができる。また、Ｄｓｉｆ＿ｅの値を１．７μｍ以下、１．１μｍ以下とすれば、表示放電領域面積率Ａｄの値を３０％以下、２０％以下とした場合であっても、小表示率表示における表示性能（セットＢＣ積Ｆｂｃｓ）の低下を抑制することができるので、全白表示および小表示領域表示における表示性能のさらなる向上をより明瞭に感知できる。
【００８６】
ただし、Ｄｓｉｆ＿ｅの値を前記した所定の値以下に低減する手法として、Ｄｓｉｆの値を極端に低下する（すなわち、誘電体の厚さを薄くする）場合、以下の新たな課題が生じる懸念がある。すなわち、Ｄｓｉｆが減少すると、誘電体２６の電気的な耐圧性能が悪化する。また、Ｄｓｉｆが減少すると、放電容量Ｃｄｃが増大し、この結果保護膜表面に入射するイオン密度が増大して、保護膜表面のスパッタが増大する。この結果、保護膜寿命が低減する。このように、表示性能を向上させる観点からは、前記したＤｓｉｆ＿ｅの値は小さく（薄く）することが（２．２μｍ以下、１．７μｍ以下、１．１μｍ以下の順で）好ましい。一方、電気的な耐圧性能向上、あるいは保護膜の寿命向上の観点からは、Ｄｓｉｆの値は、大きく（厚く）することが好ましい。したがって、Ｄｓｉｆ＿ｅの具体的な値は、前記した数値範囲の中で、要求される電気的な耐圧性能、あるいは保護膜の寿命を確保可能な範囲で、最も小さい値とすることが好ましい。
【００８７】
また、比誘電率ｋの値に関わらず、好ましいＤｓｉｆの値を評価すると、Ｄｓｉｆを１８μｍ以下とすることが好ましい。Ｄｓｉｆを１８μｍ以下とすることにより、誘電体２６及び保護膜２７の比誘電率ｋを極端に低下させて、例えば、比誘電率ｋ＝８とした場合であっても、前記したように、全白表示性能増大と小表示率表示性能増大を同時実現可能となる。また、Ｄｓｉｆの値を１４μｍ以下、９μｍ以下とさらに低減することにより、全白表示性能および小表示率表示性能をさらに増大させ、この増大した効果を一般的な視覚者が、全白表示における表示性能の向上を、ディスプレイの性能向上として感知することができる。
【００８８】
ただし、前記の通り、電気的な耐圧性能向上、あるいは保護膜の寿命向上の観点からは、Ｄｓｉｆの値は、大きく（厚く）することが好ましいので、Ｄｓｉｆの具体的な値は、前記した数値範囲の中で、要求される電気的な耐圧性能、あるいは保護膜の寿命を確保可能な範囲で、最も小さい値とすることが好ましい。
【００８９】
次に、誘電体厚さＤｓｉｆあるいは実効誘電体厚さＤｓｉｆ＿ｅを減少すると無効電力Ｐｃｐが減少し、この結果、小表示率表示性能がさらに向上することに関して述べる。
【００９０】
前述した如く、一般に、誘電体厚さＤｓｉｆあるいは実効誘電体厚さＤｓｉｆ＿ｅを小さくすると、セル配線容量Ｃｗｃが減少する。誘電体厚さＤｓｉｆあるいは実効誘電体厚さＤｓｉｆ＿ｅを小さくすると、表示電極対間の電気力線が比誘電率ｋの大きな誘電体層から比誘電率ｋの小さな真空中（放電空間中）に押し出されるからである。この結果、（２５）式より、パネル配線容量Ｃｗｐが減少する。
【００９１】
小表示率表示の条件（すなわち、Ｐｐ≒Ｐｃｐ）で、消費電力Ｐｐ、電力回収効率βｃｐ、表示放電電圧Ｖｓを一定にして考える。この時、（２４）式より、パネル配線容量Ｃｗｐが減少すると、駆動しうる最大の駆動周波数Ｆｄｒが増大する。この結果、（２３）式より放電電力Ｐｄｐが増大し、（１４）、（１３）式より小表示率表示のセットのＢＣ積Ｆｂｃｓが増大する。
【００９２】
＜ＰＤＰの具体的態様＞
上記の検討結果を踏まえ、前記したトレードオフ関係を解消するための具体的態様について図２及び図１３を用いて以下に説明する。以下の説明において、図２及び図１３に示す、横方向が隔壁３１の幅方向である。幅方向と直角方向（図中の縦方向）が高さ方向であり、高さ方向にｚ座標軸が示してある。幅方向および高さ方向と直角方向（すなわち図の紙面と垂直方向）が長手方向である。
【００９３】
図２及び図１３において、放電空間３３は、保護膜２７と蛍光体３２に囲まれている。また、図２及び図１３に示す符号、Ｗｄｓ（ｚ）及びＷｒｂ（ｚ）は幅方向の長さであり、各々放電空間幅Ｗｄｓ（ｚ）及び隔壁幅Ｗｒｂ（ｚ）である。放電空間幅Ｗｄｓ（ｚ）及び隔壁幅Ｗｒｂ（ｚ）は高さ方向、すなわち、ｚ座標の関数である。また、符号、ｈｄｓ及びｈｒｂは高さ方向の長さであり、各々放電空間高さｈｄｓ及び隔壁高さｈｒｂである。放電空間幅Ｗｄｓ（ｚ）の放電空間高さｈｄｓに亘って平均した値が平均放電空間幅Ｗｄｓａである。隔壁幅Ｗｒｂ（ｚ）の隔壁高さｈｒｂに亘って平均した値が平均隔壁幅Ｗｒｂａである。また、図２及び図１３には蛍光体層３２の厚さｈｐｈを示している。図１３に示す比較例においては、平均隔壁幅Ｗｒｂａはできる限り小さく設定されており、０．０６ｍｍ以下である。
【００９４】
図２に示す本実施の形態のＰＤＰでは、全白表示における表示性能（セットＢＣ積Ｆｂｃｓ）を向上するために、表示領域表面反射率（モジュール反射率）βが図１３に示す比較例より小さくなっている。ここで、表示用の可視光が放射される面を表示面とし、該表示面から可視光が放射される空間を視野空間とし、複数の放電セルを連続的に包含する空間を表示空間とし、この表示空間の、上記表示面へ投影された領域を表示領域Ｒｐとし、視野空間から該表示領域Ｒｐに白色光を入射させたとき、該表示領域Ｒｐから出射する光のエネルギーの、該入射された白色光のエネルギーに対する比の、該表示領域Ｒｐにおける平均値を、表示領域表面反射率（あるいはモジュール反射率）βとした場合、０．０２≦β≦０．２が満足されることが好ましい。表示性能（セットＢＣ積Ｆｂｃｓ）を向上するためには、表示領域表面反射率（モジュール反射率）βがより小さいことが好ましいが、実用的な材料および製造条件を考慮して上記範囲のβが選ばれる。また後述するように、表示領域表面反射率βの低減を、表示放電領域面積率Ａｄ＝Ｓｄ／Ｓｐの低減、或いは黒色領域面積率Ａｂ＝Ｓｂ／Ｓｐの増大で実現する際に、表示領域表面反射率βの実用的な下限が存在し、表示領域表面反射率βの上記範囲が実用的価値を有する範囲である。上記の材料、製造条件、構造条件を考慮すると、より好ましい表示領域表面反射率βの範囲は、０．０５≦β≦０．１５である。
【００９５】
さらに、上記表示領域表面反射率βの低減を、表示放電領域面積率Ａｄの低減で実施する態様の一例を説明する。
【００９６】
上記表示領域Ｒｐの面積をＳｐとし、表示に利用される放電空間を表示放電空間とし、該表示放電空間の、表示面へ投影された領域を表示放電領域とし、上記表示領域Ｒｐにおける上記表示放電領域の集合をＲｄとし、該表示放電領域の集合Ｒｄの面積をＳｄとした場合、表示放電領域面積率Ａｄ＝Ｓｄ／Ｓｐが、０．０５≦Ａｄ≦０．４を満足することが好ましい。表示性能（セットＢＣ積Ｆｂｃｓ）を向上するためには、表示放電領域面積率Ａｄがより小さいことが好ましいが、実用的な材料および製造条件を考慮して上記範囲のＡｄが選ばれる。この結果、上記表示領域表面反射率βを上記範囲（０．０２≦β≦０．２）に収めることができる。より好ましい表示放電領域面積率Ａｄの範囲は、０．２≦Ａｄ≦０．３である。この場合、表示領域表面反射率βの範囲を０．０５≦β≦０．１５に収めることができる。
【００９７】
なお、放電セルの、上記表示面へ投影された領域をセル領域とし、前記複数の放電セルの少なくとも一部の放電セルにおいて、該セル領域における上記表示放電領域以外の領域を非表示放電領域としたとき、前記視野空間から該非表示放電領域に白色光を入射させたとき、該非表示放電領域から出射する光のエネルギーの、該入射された白色光のエネルギーに対する比が０．２以下にされている。この比は小さいほど望ましいが、プロセス温度（通常５００℃程度の加熱工程がある）や材料コストを考慮すると、上記比は０．０２〜０．２が実用的価値を有する範囲である。
【００９８】
本実施の形態では、表示領域表面反射率βの目標値を実現するために、上記非表示放電領域の態様が以下のようになっている。例えば、少なくとも一部の上記放電セルにおいて、上記平均隔壁幅Ｗｒｂａが０．１ｍｍ以上、０．１５ｍｍ以上、０．２ｍｍ以上、あるいは０．３ｍｍ以上に設定されている。平均隔壁幅Ｗｒｂａの値が大きくなるほど、表示領域表面反射率（モジュール反射率）βをより大きく低減することが可能となり、全白表示性能の増大を顕著にすることができる。本願発明者の検討によれば、平均隔壁幅Ｗｒｂａの値を０．１ｍｍ以上とすれば、一般的な視覚者（本技術を適用したディスプレイを視覚する人間）が、全白表示における表示性能の向上を、ディスプレイの性能向上として感知することができる。ただし、平均隔壁幅Ｗｒｂａの値を大きくするほど、表示電極面積Ｓｓｅが減少するので、小表示率性能の低下を低下させる原因となる。したがって、小表示率表示性能の低下を抑制する観点から、前記した誘電体厚さＤｓｉｆ、あるいは実効誘電体厚さＤｓｉｆ＿ｅの厚さを考慮して決定する必要がある。
【００９９】
また、表示領域表面反射率βを出来る限り小さくするために、隔壁あるいは隔壁頭部（隔壁の視野空間側すなわち表示面側部分）が黒色の材料で形成されている。あるいは、隔壁よりも視野空間側の空間に、隔壁に合わせて黒色の層（通常黒色帯またはブラックマトリックスと呼ばれる）が形成されてある。ここで、黒色の材料あるいは黒色の層とは、その表面反射率が２０％以下の材料あるいは層である。
【０１００】
このように、本実施の形態では、表示放電領域面積率Ａｄを０．４以下、あるいは０．３以下とすることにより、表示領域表面反射率βを０．２以下、あるいは０．１５以下として、全白表示における表示性能を向上させている。ここで、単に表示領域表面反射率βを０．２以下、あるいは０．１５以下とするのみでは、前記したように表示電極面積Ｓｓｅが減少し、小表示率表示における表示性能（セットＢＣ積Ｆｂｃｓ）が低下する。そこで、本実施の形態では、前記したように、前面板２の誘電体厚さＤｓｉｆの値を１８μｍ以下、１４μｍ以下、あるいは９μｍ以下とする。あるいは、誘電体２６及び保護膜２７を総合した層の平均的比誘電率ｋを考慮した実効誘電体厚さＤｓｉｆ＿ｅを２．２μｍ以下、１．７μｍ以下、あるいは１．１μｍ以下とすることにより、小表示率表示における表示性能（セットＢＣ積Ｆｂｃｓ）が低下を抑制することができるので、全白表示性能および小表示率表示性能を向上させることができる。
【０１０１】
次に、上記表示領域表面反射率βを黒色領域の面積比率の面から達成した本実施の態様の第１の変形例を説明する。
【０１０２】
複数の放電セルの、少なくとも一部の放電セルに、視野空間から表示面に白色光を入射させたとき、該表示面から出射する光のエネルギーの、該入射された白色光のエネルギーに対する比が０．２以下である黒色領域を持たせ、上記表示領域Ｒｐの面積をＳｐ、さらに表示領域Ｒｐにおける該黒色領域の集合をＲｂとし、該黒色領域の集合Ｒｂの上記表示面における面積をＳｂとしたとき、黒色領域面積率Ａｂ＝Ｓｂ／Ｓｐが、０．９５≧Ａｂ≧０．５を満足するものである。黒色領域面積率Ａｂをこの範囲内にすることにより、上記表示領域表面反射率βを上記範囲（０．０２≦β≦０．２）に収めることができる。特に好ましい黒色領域面積率Ａｂの範囲は、０．８≧Ａｂ≧０．７である。この場合、表示領域表面反射率βの範囲を安定的に０．０５≦β≦０．１５に収めることができる。
【０１０３】
この場合も、黒色領域に白色光を入射させたとき、該黒色領域から出射する光のエネルギーの、該入射された白色光のエネルギーに対する比は小さいほど望ましいが、プロセス温度（通常５００℃程度の加熱工程がある）や材料コストを考慮すると、上記比は０．０２〜０．２が実用的価値を有する範囲である。
【０１０４】
このように、本実施の形態の第１の変形例では、表示放電領域面積率Ａｄを０．９以下、あるいは０．８以下とすることにより、表示領域表面反射率βを０．２以下、あるいは０．１５以下として、全白表示における表示性能を向上させている。また、本変形例では、前記したように、前面板２の誘電体厚さＤｓｉｆの値を１８μｍ以下、１４μｍ以下、あるいは９μｍ以下とする。あるいは、誘電体２６及び保護膜２７を総合した層の平均的比誘電率ｋを考慮した実効誘電体厚さＤｓｉｆ＿ｅを２．２μｍ以下、１．７μｍ以下、あるいは１．１μｍ以下とすることにより、小表示率表示における表示性能（セットＢＣ積Ｆｂｃｓ）が低下を抑制することができるので、全白表示性能および小表示率表示性能を向上させることができる。
【０１０５】
また、上記黒色領域の面積Ｓｂが大きくなりすぎると、発光輝度が低下して表示装置として機能しなくなる場合があるが、前記したように、前面板２の誘電体厚さＤｓｉｆあるいは誘電体２６及び保護膜２７を総合した層の平均的比誘電率ｋを考慮した実効誘電体厚さＤｓｉｆ＿ｅを減少させれば発光輝度の低下を抑制することができるので、黒色領域面積率Ａｂを広くとることができる。
【０１０６】
次に、上記表示領域表面反射率βを実現するために、少なくとも一部の放電セルにおいて、視野空間から見た白色光に対する表面反射率が大きな領域、すなわち相対白色領域ＲＷと小さな領域すなわち相対黒色領域ＲＢを存在させ、下記の条件を満足させた、本実施の態様における、第２の変形例を説明する。
【０１０７】
まず、反射率を、視野空間から表示面に白色光を入射させたとき、該表示面から出射する光のエネルギーの、該入射された白色光のエネルギーに対する比と定義し、前記複数の放電セルの、少なくとも一部の放電セルにおいて、前記反射率の最大値をβｍａｘとしたとき、前記少なくとも一部の放電セルが、前記反射率が０．５×βｍａｘ以下である相対黒色領域ＲＢを有し、これを下記条件が満たされるように設定する。
【０１０８】
すなわち、複数の放電セルを連続的に包含する空間を表示空間とし、この表示空間の、表示面へ投影された領域を表示領域Ｒｐとし、該表示領域Ｒｐの面積をＳｐとし、上記表示領域Ｒｐにおける上記相対黒色領域ＲＢの集合を黒色領域Ｒｂとし、上記黒色領域Ｒｂの上記表示面における面積をＳｂとしたとき、黒色領域面積率Ａｂ＝Ｓｂ／Ｓｐが、０．９５≧Ａｂ≧０．５を満足するようにするものである。この第２の変形例においても、前記第１の変形例と同様に黒色領域面積率Ａｂを０．９５≧Ａｂ≧０．５にすることにより、上記表示領域表面反射率βを上記範囲（０．０２≦β≦０．２）に収めることができる。特に好ましい黒色領域面積率Ａｂの範囲は、０．８≧Ａｂ≧０．７である。この場合、表示領域表面反射率βの範囲を安定的に０．０５≦β≦０．１５に収めることができる。
【０１０９】
このように、本実施の形態の第２の変形例では、表示放電領域面積率Ａｄを０．９以下、あるいは０．８以下とすることにより、表示領域表面反射率βを０．２以下、あるいは０．１５以下として、全白表示における表示性能を向上させている。また、本変形例では、前記したように、前面板２の誘電体厚さＤｓｉｆの値を１８μｍ以下、１４μｍ以下、あるいは９μｍ以下とする。あるいは、誘電体２６及び保護膜２７を総合した層の平均的比誘電率ｋを考慮した実効誘電体厚さＤｓｉｆ＿ｅを２．２μｍ以下、１．７μｍ以下、あるいは１．１μｍ以下とすることにより、小表示率表示における表示性能（セットＢＣ積Ｆｂｃｓ）が低下を抑制することができるので、全白表示性能および小表示率表示性能を向上させることができる。
【０１１０】
また、上記黒色領域の面積Ｓｂが大きくなりすぎると、発光輝度が低下して表示装置として機能しなくなる場合があるが、前記したように、前面板２の誘電体厚さＤｓｉｆあるいは誘電体２６及び保護膜２７を総合した層の平均的比誘電率ｋを考慮した実効誘電体厚さＤｓｉｆ＿ｅを減少させれば発光輝度の低下を抑制することができるので、黒色領域面積率Ａｂを広くとることができる。
【０１１１】
図１３に示す比較例においては、前記Ａ７で示した如く、全白表示における表示性能（セットＢＣ積Ｆｂｃｓ）を向上すべく、表示放電領域面積率Ａｄの低減あるいは黒色領域面積率Ａｂの増大を図ると、必然的に各放電セルにおける表示電極面積Ｓｓｅが減少し、この結果、小表示率表示における表示性能（セットＢＣ積Ｆｂｃｓ）が急激に低下する。本実施の形態においては、このトレードオフの課題を克服すべく、前記Ａ１０及びその関連部分で述べた如く、前面板の誘電体厚さＤｓｉｆあるいは実効誘電体厚さＤｓｉｆ＿ｅを比較例より減少させてある。誘電体厚さＤｓｉｆあるいは実効誘電体厚さＤｓｉｆ＿ｅの最適値は、実際のセル構造、セル材料、さらには好みとする表示画像特性により変化する。これらの条件を考慮すると、前述した如く、誘電体厚さＤｓｉｆを１８μｍ以下、１４μｍ以下、９μｍ以下にする、あるいは、誘電体２６及び保護膜２７の比誘電率を考慮して、実効誘電体厚さＤｓｉｆ＿ｅを２．２μｍ以下、１．７μｍ以下、１．１μｍ以下にすることが有効である。
【０１１２】
パネル駆動において前面板２の誘電体２６中には電界が形成され、誘電体厚さＤｓｉｆあるいは実効誘電体厚さＤｓｉｆ＿ｅが減少するとこの電界強度が増大する。この電界強度増大の結果、誘電体そのものが絶縁破壊等により破壊される可能性がある。本実施の形態では、前面板２の誘電体２６に、このような絶縁体破壊が生じない材料あるいはプロセスが用いられている。
【０１１３】
前述した如く、誘電体厚さＤｓｉｆあるいは実効誘電体厚さＤｓｉｆ＿ｅを減少すると無効電力Ｐｃｐが減少し、この結果、小表示率表示性能（小表示率表示のセットのＢＣ積Ｆｂｃｓ）がさらに向上する。
【０１１４】
（実施の形態２）
図１０〜図１２は、本実施の形態２のプラズマディスプレイパネル（基本ＰＤＰ）の概略図である。図１０は、視野空間側から見た平面の一部を示す要部拡大平面図である。図１１、図１２は、それぞれ図１０に示したＤ１，Ｄ２の方向から見た断面の一部をさらに拡大して示す要部拡大断面図である。以下、本実施の形態と前記実施の形態１との相違点について説明する。
【０１１５】
まず、本実施の形態では隔壁がボックス隔壁構造になっている。すなわち、隔壁３１の長手方向が交叉する２つの方向ＤＲ１とＤＲ２に沿って延在するように格子状に配置されており、これら方向は図中のＤ１とＤ２に一致している。前記実施の形態１で説明したのと同様の方法で、長手方向が少なくとも２方向（ＤＲ１とＤＲ２）の隔壁構成部に関して平均隔壁幅Ｗｒｂａが決定される。少なくとも一部の放電セルにおいて、長手方向が上記２方向すなわちＤＲ１とＤＲ２の少なくともいずれかの方向に配置された上記隔壁の平均隔壁幅Ｗｒｂａが０．１ｍｍ以上、０．１５ｍｍ以上、０．２ｍｍ以上、あるいは０．３ｍｍ以上に設定されている。平均隔壁幅Ｗｒｂａの値が大きくなるほど、表示領域表面反射率（モジュール反射率）βをより大きく低減することが可能となり、全白表示性能の増大を顕著にすることができる。本願発明者の検討によれば、平均隔壁幅Ｗｒｂａの値を０．１ｍｍ以上とすれば、一般的な視覚者（本技術を適用したディスプレイを視覚する人間）が、全白表示における表示性能の向上を、ディスプレイの性能向上として感知することができる。ただし、平均隔壁幅Ｗｒｂａの値を大きくするほど、表示電極面積Ｓｓｅが減少するので、小表示率性能の低下を低下させる原因となる。したがって、小表示率表示性能の低下を抑制する観点から、前記した誘電体厚さＤｓｉｆ、あるいは実効誘電体厚さＤｓｉｆ＿ｅの厚さを考慮して決定する必要がある。
【０１１６】
本実施の形態のもう一つの相違点は、表示放電電極対（Ｘ電極とＹ電極）が対向配置になっていることである。すなわち、Ｙ電極２３０とＹバス電極２５０が前面ガラス基板２１に設置されてあり、Ｘ電極２２０が背面ガラス基板２８に上記Ｙ電極と高さ方向に対向する配置で設置されている。視野空間は、前面板に関して背面板と反対側に存している。背面板側にあるＸ電極２２０は可視光を透過する必要はなく、必ずしも透明電極である必要はない。また、Ｘ電極、Ｙ電極共に誘電体２６、３０と保護膜２７で被覆されてある。蛍光体３２は隔壁３１の側壁だけに塗布されており、上記Ｘ電極及びＹ電極を被覆する保護膜２７上には塗布されていない。図１１、図１２に示した高さｈがセルの高さ、あるいは隔壁３１の高さ、あるいは放電空間３３の高さである。
【０１１７】
このように表示放電電極対を対向配置にすることにより、表示放電電極対の一方（Ｘ電極）と表示電極間ギャップＷｇｘｙ（図３参照）が表示領域の一部を専有する必要がなくなる。すなわち、表示放電領域面積Ｓｄが小さくなり、表示放電領域面積率Ａｄを小さくすることができる。したがって、表示領域表面反射率βを小さくすることが容易になる。
【０１１８】
放電の紫外線発生効率を増大してモジュール発光効率を増大するためには放電のｐｄ積を大きくする必要がある。ｐｄ積とは、放電ガスのガス圧力ｐと放電電極間の距離ｄとの積（掛け算）である。本実施の形態では、放電電極間の距離ｄは放電空間高さｈである。十分な紫外線発生効率を得るために必要な放電空間３３の高さｈの値は、ガス圧力ｐやセル構造により異なる。一般的には、状況に応じて、放電空間３３の高さｈが０．０５ｍｍ以上、０．１ｍｍ以上、０．２ｍｍ以上、０．３ｍｍ以上、あるいは０．５ｍｍ以上である必要がある。放電空間３３の高さｈが大きいほどより大きな紫外線発生効率を得ることができるが、一方で隔壁アスペクト比Ａｒｂａｓの大きな隔壁３１を形成する必要があり製造コストの増大を招くことになる。隔壁アスペクト比Ａｒｂａｓとは、ｈ/Ｗｒｂａのことである。放電空間の高さｈの値は、これらのメリット（紫外線発生効率の増大）とデメリット（製造コストの増大）とを総合的に考慮して決定される。本願発明者の検討によれば、上記した放電空間の高さｈの段階的な値において、これら総合的判断の基準（メリット重視とデメリット抑制重視）が顕著に変化する。
【０１１９】
上記の放電空間３３の高さｈを実現するためには、例えば下記の構造が必要となる。すなわち、ＰＤＰ２００の高さ方向に座標軸ｚをとり、上記表示電極であるＸ電極の上記座標軸ｚの位置座標をｚＸとし、上記Ｙ電極の上記座標軸ｚの位置座標をｚＹとし、上記位置座標ｚＸとｚＹの差の絶対値｜ｚＹ−ｚＸ｜が０．０５ｍｍ以上、０．１ｍｍ以上、０．２ｍｍ以上、０．３ｍｍ以上、あるいは０．５ｍｍ以上である必要がある。
【０１２０】
また、放電空間３３の高さｈを大きくすると、放電空間アスペクト比Ａｄｓａｓ＝ｈ/Ｗｄｓａも大きくなる。放電空間アスペクト比が大きくなると、蛍光体３２で発光した可視光は蛍光体３２の表面あるいは背面板の保護膜２７表面（あるいは背面板の誘電体２６表面）で多重回反射をして視野空間に出てくる。したがって、可視光を有効活用するために、蛍光体３２の表面あるいは背面板の保護膜２７表面（あるいは背面板の誘電体２６表面）の表面反射率（これを非開口面反射率と呼ぶ）を大きくする必要がある。この非開口面反射率は通常６０％程度であり、これを８０％以上あるいは９０％以上にすることが望ましい。本願発明者の検討によれば、非開口面反射率を８０％とすることにより、一般的な視覚者（本技術を適用したディスプレイを視覚する人間）が、輝度向上を、明瞭に感知することができる。また、９０％以上とすれば、８０％と比較してさらに向上したことを感知することができる。
【０１２１】
上記放電空間３３の高さｈを大きくすればするほど、この非開口面反射率を大きくすることが必要となる。上記非開口面反射率を次のように説明することできる。すなわち、上記放電セルにおいて上記表示放電空間を取り囲む固体壁を表示放電空間内面とし、上記表示放電空間内面のうち表示用の可視光が視野空間に向けて放射する面を開口面とし、上記表示放電空間内面のうち上記開口面以外の固体壁を非開口面とし、上記非開口面の表面反射率の平均値を非開口面反射率とする。
【０１２２】
以上、本願発明者によってなされた発明を実施の形態に基づき具体的に説明したが、本発明は上記実施の形態に限定されるものではなく、その要旨を逸脱しない範囲で種々変更可能であることは言うまでもない。
【０１２３】
例えば、実施の形態２では、基本ＰＤＰの構造について説明したが、これを実施の形態で説明した図４、あるいは図８に示すプラズマディスプレイ装置に適用することができる。
【産業上の利用可能性】
【０１２４】
本発明は、プラズマディスプレイパネルなどのプラズマディスプレイ装置に広く利用可能である。
【符号の説明】
【０１２５】
１、２００  ＰＤＰ（プラズマディスプレイパネル、基本プラズマパネル）
２  前面板
３  背面板
２１  前面ガラス基板
２２−１、２２−２、２２０  Ｘ電極
２３−１、２３−２、２３０  Ｙ電極
２４−１、２４−２  Ｘバス電極
２５−１、２５−２、２５０  Ｙバス電極
２６  誘電体（誘電体膜）
２７  保護膜
２８  背面ガラス基板
２９  Ａ電極（アドレス電極）
３０  誘電体（誘電体膜）
３１  隔壁（リブ）
３２  蛍光体
３３  放電空間
４０  ＴＶフィールド
４１〜４８  サブフィールド
４９  予備放電期間
５０  書き込み放電期間
５１  表示期間（発行表示期間）
５２  波形（１本のＡ電極に印加する電圧波形）
５３  波形（Ｘ電極に印加する電圧波形）
５４  波形（Ｙ電極のｉ番目に印加する電圧波形）
５５  波形（Ｙ電極のｉ＋１番目に印加する電圧波形）
５６  スキャンパルス（Ｙ電極のｉ行目に印加されるスキャンパルス）
５７  スキャンパルス（Ｙ電極のｉ＋１行目に印加されるスキャンパルス）
５８  電圧波形（Ｘ電極に印加される電圧波形）
５９  電圧波形（Ｙ電極に印加される電圧波形）
１００  プラズマディスプレイ装置
１０１  駆動手段（駆動回路）
１０２  映像源
Ｄｓｉｆ  誘電体厚さ
ｈｄｓ  放電空間高さ
ｈｒｂ  隔壁高さ
ｈｐｈ  厚さ
Ｗｄｓ（ｚ）  放電空間幅
Ｗｄｓａ  平均放電空間幅
Ｗｒｂ（ｚ）  隔壁幅
Ｗｒｂａ  平均隔壁幅
ｈ  高さ
【図１】
2011014450.tif 000003
【図２】
2011014450.tif 000004
【図３】
2011014450.tif 000005
【図４】
2011014450.tif 000006
【図５】
2011014450.tif 000007
【図６】
2011014450.tif 000008
【図７】
2011014450.tif 000009
【図８】
2011014450.tif 000010
【図９】
2011014450.tif 000011
【図１０】
2011014450.tif 000012
【図１１】
2011014450.tif 000013
【図１２】
2011014450.tif 000014
【図１３】
2011014450.tif 000015